(57)【要約】【課題】  大容量のＥＰＧデータを利便性良くユーザに提供する。【解決手段】  可搬型のストレージメディア（ＥＰＧ-ＤＶＤ）に、例えば、全国版の１ヶ月分のＥＰＧデータＥＤを記録してユーザに配布する。また、情報記録再送値ＲＰに事前にユーザの視聴地域等が記述されたユーザ属性情報ファイルＦを記録しておくと共に、このユーザ属性情報ファイルＦを用いてＥＰＧ-ＤＶＤに記録されているＥＰＧデータＥＤからユーザの所望する番組表に対応するデータ部分を抽出ＥＰＧデータＥＤ２として抽出して、当該抽出ＥＰＧデータＥＤ２を用いてユーザの所望する番組表のみを表示する。【選択図】  図１
2006180135.tif 000002
【特許請求の範囲】
【請求項１】
複数の放送チャネルにおける番組表を表示するための電子番組情報が記録された可搬型の情報記録媒体から前記電子番組情報を読み出して表示装置に表示させる情報再生装置であって、
前記情報記録媒体から前記電子番組情報を読み出す読出手段と、
ユーザの属性を示すユーザ属性情報が記録されるユーザ属性情報記録手段と、
前記情報記録媒体から読み出された前記電子番組情報の中から前記ユーザ属性情報に合致する前記番組表に対応した選別番組データを抽出する抽出手段と、
前記抽出された選別番組データに基づいて前記表示装置に前記番組表を表示させる表示制御手段と
を備えることを特徴とする情報再生装置。
【請求項２】
前記選別番組データを記録する選別番組データ記録手段を更に有することを特徴とする請求項１に記載の情報再生装置。
【請求項３】
前記選別番組データ記録手段に既に記録されている前記電子番組情報と内容の異なる電子番組情報が記録された情報記録媒体又は外部機器の少なくとも一方から前記電子番組情報を取得する取得手段と、
前記取得手段によって取得された電子番組情報に基づいて、前記選別番組データ記録手段に記録されている選別番組データを変更する変更手段と
を更に備えることを特徴とする請求項２に記載の情報再生装置。
【請求項４】
ユーザの入力操作を受け付ける入力手段と、
前記表示装置に表示された番組表に従って、ユーザが行った入力操作に応じて、前記選別番組データから録画対象となる放送番組の放送チャネルと放送日時を特定する特定手段と、
前記特定された放送チャネル及び放送日時に放送される放送番組に対応したコンテンツデータの記録を予約する録画予約手段と、
前記予約された日時に、予約された放送チャネルにて放送される放送番組に対応したコンテンツデータを記録用情報記録媒体に記録させる記録制御手段と
を更に備えることを特徴とする請求項１に記載の情報再生装置。
【請求項５】
前記記録用情報記録媒体に記録されたコンテンツデータを当該他の記録用情報記録媒体に書き換える書き換え手段を更に有し、
前記記録制御手段は、記録対象となるコンテンツデータに対応する放送番組の種別を示す放送番組種別情報を当該コンテンツデータと対応付けて前記記録用情報記録媒体に記録させ、
前記書き換え手段は、同一の放送番組種別情報と対応付けて前記記録用情報記録媒体に記録された前記コンテンツデータが、予め定められた数量に至った場合に当該放送番組種別情報と対応付けて記録されたコンテンツデータを前記他の記録用情報記録媒体に書き換えることを特徴とする請求項４に記載の情報再生装置。
【請求項６】
前記ユーザ属性情報には、少なくともユーザの視聴地域を示す視聴地域情報が含まれることを特徴とする請求項１に記載の情報再生装置。
【請求項７】
前記視聴地域情報を放送波に基づいて取得する取得手段と、
前記取得された視聴地域情報を少なくとも含む前記ユーザ属性情報を生成する生成手段と、を更に備えることを特徴とする請求項６に記載の情報再生装置。
【請求項８】
前記ユーザ属性情報には、少なくともユーザの加入している有料放送サービスを示すサービス種別情報が含まれることを特徴とする請求項１に記載の情報再生装置。
【請求項９】
前記ユーザ属性情報には、少なくともユーザの嗜好を示す嗜好情報が含まれることを特徴とする請求項１に記載の情報再生装置。
【請求項１０】
前記放送番組の録画履歴に基づいて前記嗜好情報を取得する取得手段と、
前記取得された嗜好情報を少なくとも含む前記ユーザ属性情報を生成する生成手段と、を更に備えることを特徴とする請求項９に記載の情報再生装置。
【請求項１１】
前記ユーザ属性情報記録手段には、複数のユーザに対応したユーザ属性情報が記録され、
前記抽出手段は、ユーザによって指定された前記ユーザ属性情報に合致する前記番組表に対応した選別番組データを抽出することを特徴とする請求項１に記載の情報再生装置。
【請求項１２】
複数の放送チャネルにおける番組表を表示するための電子番組情報が記録された可搬型の情報記録媒体から前記電子番組情報を読み出して表示装置に表示させる情報再生装置における情報再生方法であって、
前記情報記録媒体から前記電子番組情報を読み出す第１ステップと、
ユーザの属性を示すユーザ属性情報を取得する第２ステップと、
前記情報記録媒体から読み出された前記電子番組情報の中から前記ユーザ属性情報に合致する前記番組表に対応した選別番組データを抽出する第３ステップと、
前記抽出された選別番組データに基づいて前記表示装置に前記番組表を表示させる第４ステップと
を備えることを特徴とする情報再生方法。
【請求項１３】
コンピュータに読み取り可能な可搬型の情報記録媒体であって、
前記コンピュータにおいて複数の放送チャネルにおける番組表を表示するための電子番組情報が記録され、
当該電子番組情報は複数のデータユニットに分割されると共に、
各データユニットには、前記コンピュータにおいてユーザの属性を示すユーザ属性情報に合致する番組表に対応した選別番組データを抽出可能なように、当該データユニットに対応した前記番組の属性を示す番組属性情報が含まれている
ことを特徴とするコンピュータに読み取り可能な情報記録媒体。
【発明の詳細な説明】
【技術分野】
【０００１】
本発明は、放送波を用いて放送される放送番組の番組表を表示装置に表示させるための技術に関する。
【背景技術】
【０００２】
近年、放送帯域の空き領域（例えば、Vertical Blanking Interval）を用いてＢＭＬ（Broadcast Markup Language）形式の言語にて記述されたＥＰＧ（Electric Program Guide）データと呼ばれる番組表を表示するためのデータを放送するシステムが各種提案されている。このシステムにおいては、ＢＭＬ形式のデータを解読、表示するためのアプリケーション（以下、「ＢＬＭブラウザ」という。）を搭載したＤＶＤレコーダ等の情報記録再生装置により、放送されているＥＰＧデータを受信し、当該ＥＰＧデータに対応する番組表を表示するようになっている。
【発明の開示】
【発明が解決しようとする課題】
【０００３】
ところで、従来の放送波を用いた番組の提供方法においては、放送帯域の空き領域を用いてＥＰＧデータが放送されるため、ＥＰＧデータのデータ量を大きくすることが困難となり、ユーザにとっての利便性の向上が図れなかった。例えば、現状、実現されている地上アナログ放送によるＥＰＧデータの放送の場合、１週間分の番組表に対応したＥＰＧデータが放送されているに過ぎず、例えば、１ヶ月分等の長期間分の番組表に対応したＥＰＧデータの放送は実現されていない。また、従来のＥＰＧデータを放送する方法では専用の放送設備が必要となるため、当該施設の設置されていない地域にＥＰＧデータを提供することは不可能となってしまっていた。
【０００４】
この発明は、以上説明した事情に鑑みてなされたものであり、その課題の一例としては大容量のＥＰＧデータを、放送設備を必要とすることなくユーザに提供することが可能な情報再生装置、情報再生方法及び情報記録媒体を提供することを目的とする。
【課題を解決するための手段】
【０００５】
上述した課題を解決するため本願の一つの観点において請求項１に記載の情報再生装置は、複数の放送チャネルにおける番組表を表示するための電子番組情報が記録された可搬型の情報記録媒体から前記電子番組情報を読み出して表示装置に表示させる情報再生装置であって、前記情報記録媒体から前記電子番組情報を読み出す読出手段と、ユーザの属性を示すユーザ属性情報が記録されるユーザ属性情報記録手段と、前記情報記録媒体から読み出された前記電子番組情報の中から前記ユーザ属性情報に合致する前記番組表に対応した選別番組データを抽出する抽出手段と、前記抽出された選別番組データに基づいて前記表示装置に前記番組表を表示させる表示制御手段とを備えることを特徴とする。
【０００６】
また、本願の他の観点において請求項１２に記載の情報再生方法は、複数の放送チャネルにおける番組表を表示するための電子番組情報が記録された可搬型の情報記録媒体から前記電子番組情報を読み出して表示装置に表示させる情報再生装置における情報再生方法であって、前記情報記録媒体から前記電子番組情報を読み出す第１ステップと、ユーザの属性を示すユーザ属性情報を取得する第２ステップと、前記情報記録媒体から読み出された前記電子番組情報の中から前記ユーザ属性情報に合致する前記番組表に対応した選別番組データを抽出する第３ステップと、前記抽出された選別番組データに基づいて前記表示装置に前記番組表を表示させる第４ステップとを備えることを特徴とする。
【０００７】
更に、本願の他の観点において請求項１３に記載の情報記録媒体は、コンピュータに読み取り可能な可搬型の情報記録媒体であって、前記コンピュータにおいて複数の放送チャネルにおける番組表を表示するための電子番組情報が記録され、当該電子番組情報は複数のデータユニットに分割されると共に、各データユニットには、前記コンピュータにおいてユーザの属性を示すユーザ属性情報に合致する番組表に対応した選別番組データを抽出可能なように、当該データユニットに対応した前記番組の属性を示す番組属性情報が含まれていることを特徴とする。
【発明を実施するための最良の形態】
【０００８】
［１］第１実施形態
［１．１］第１実施形態の構成
（１）情報記録再生装置について
以下、本願の第１実施形態にかかる情報記録再生装置ＲＰの構成を示すブロック図である図１を参照しつつ本願の第１実施形態について説明することとする。なお、以下に説明する実施の形態はＤＶＤドライブ１３に装着されたＤＶＤに対するデータの記録及び再生や、ハードディスクドライブ（以下、「ＨＤＤ」という。）１４に搭載されたハードディスクに対するデータの記録及び再生を行う機能を有する情報記録再生装置ＲＰに対して本願の情報再生装置を適用した場合の実施の形態である。また、以下の説明において、「放送番組」とは放送波を介して各放送局から提供されるコンテンツを示し、放送波により変調されたコンテンツの内容を示すアナログ信号を「ＴＶ信号」、この「ＴＶ信号」をデジタル形式に変換して得られるデータ及び放送波によって放送されるデジタルデータを「コンテンツデータ」と呼ぶこととする。
【０００９】
ここで、本実施形態にかかる情報記録再生装置ＲＰにおいて実現される情報再生方法の概要について簡単に説明する。まず、上述したように放送波を用いてＥＰＧデータを放送する場合、放送帯域の問題から、例えば、１ヶ月分の番組表といったような大容量のＥＰＧデータＥＤ（図２参照）を放送することは困難であり、また、放送を実現するための専用設備が必要となってしまう。かかる観点から本実施形態においては可搬型のストレージメディア（本実施形態においてはＤＶＤ）にＥＰＧデータＥＤを記録して（以下、このＤＶＤを「ＥＰＧ-ＤＶＤ」という。）、このメディアに記録されたＥＰＧデータＥＤを用いて情報記録再生装置ＲＰのユーザに放送番組の番組表を提示する方法を採用することとした。
【００１０】
この方法によれば、専用の放送設備を設けることなく、例えば、放送番組に関する各種情報を提供するＴＶ情報誌の付録としてＥＰＧ-ＤＶＤを配布することにより全国津々浦々に大容量のＥＰＧデータＥＤを提供することも可能となる。なお、このＥＰＧ-ＤＶＤに記録されるＥＰＧデータＥＤのデータ形式についてはＨＴＭＬ（Hypertext Markup Language）形式、ＢＭＬ形式等、任意であるが、本実施形態においてはＢＭＬ形式にて作成されているものとして説明する。
【００１１】
一方、このようにＤＶＤに大容量のＥＰＧデータＥＤを記録する方法を採用する場合、当該データに対応した番組表の全内容をユーザに提示することは、徒にユーザの混乱を招く要因となりかねない。すなわち、このように大容量のＥＰＧデータＥＤにより示される番組表の全てをユーザに提示した場合、ユーザは当該番組表の中から自己の所望する箇所を取捨選択しなければならず、ユーザの利便性を確保することが困難となる可能性があるのである。
【００１２】
例えば、ＥＰＧ-ＤＶＤに日本全国の各視聴地域における番組表に対応したＥＰＧデータＥＤを記録した場合、ユーザは全国版の番組表の中から自己の視聴地域に対応した番組表を選択しなくてはならなくなってしまう。また、放送サービスの中には有料のサービスが存在しており、この有料放送サービスにユーザが加入していない場合や、或いは、一部の有料放送サービスにのみユーザが加入している場合もある。特に、このような有料放送サービスは、近年、多チャンネル化の一途をたどっており、現在、１００ｃｈ近くの視聴が可能な有料放送サービスも存在している。このような現状の下ではユーザが自己の加入している有料放送サービスに対応する番組表を選択することは困難を極めてしまう。更に、以上のようにユーザの視聴地域や有料放送サービスの種別に合致した番組表を表示できた場合であっても、ユーザの更なる利便性確保の観点からは当該番組表の中からユーザの嗜好に合致したものを抽出して表示できることが望まれる。
【００１３】
従って、ＤＶＤ内に大容量のＥＰＧデータＥＤを納めつつユーザの利便性を確保するためには、如何にしてユーザの望む番組表のみをユーザに提示するのかと言うことが問題となってくる。本実施形態においては、かかる観点から、例えば、ユーザの視聴地域を示す情報（以下、「視聴地域情報」という。）やユーザの加入している有料放送サービス種別を示す情報（以下、「有料放送サービス種別情報」という。）、或いは、ユーザの好きなジャンル等の嗜好を示す情報等（以下、「嗜好情報」という。）を情報記録再生装置ＲＰに登録しておき（以下、特に特定する必要のない場合、まとめて、「ユーザ属性情報」という）、これらの情報に基づいてＥＰＧ-ＤＶＤに記録されているＥＰＧデータＥＤから所定のデータ部分を抽出して、当該抽出されたデータに基づいて番組表を表示することでユーザの欲する番組表のみを提示する方法を採用することとした。なお、以下の説明においては、ＥＰＧ-ＤＶＤに記録されているＥＰＧデータＥＤから所定のデータ部分を抽出する機能を「ＥＰＧカスタマイズ機能」と呼び、同機能によりＥＰＧデータＥＤから抽出されたデータを「抽出ＥＰＧデータＥＤ２（図２参照）」と呼ぶ。
【００１４】
以下、かかる機能を実現するための本実施形態にかかる情報記録再生装置ＲＰの具体的な構成について説明することとする。
【００１５】
まず、本実施形態にかかる情報記録再生装置ＲＰは、図１に示すようにＴＶ受信部１１と、信号処理部１２と、ＤＶＤドライブ１３と、ＨＤＤ１４と、復号処理部１５と、ユーザ属性情報記録部１６と、システム制御部１７と、操作部１８と、記録制御部１９と、再生制御部２０と、ＯＳＤ（On screen Display）部２１と、ＲＯＭ／ＲＡＭ部２２と、これら各要素を相互に接続するバス２３を有している。
【００１６】
これらの要素中、ＴＶ受信部１１は、地上アナログ放送等のアナログ放送及び地上デジタル放送、ＣＳ（Communication Satellite）放送、ＢＳ（Broadcasting Satellite）デジタル放送等のデジタル放送のチューナであり、アンテナＡＴを介して各放送局から送信された放送波を受信する。そして、ＴＶ受信部１１は、例えば、受信対象となる放送波がアナログ方式によるものの場合、当該放送波をＩＦ（中間周波数）信号に変換し、このＩＦ信号をＴＶ用の映像信号および音声信号（すなわち、ＴＶ信号）に復調して信号処理部１２に供給する。これに対して受信対象となる放送波がデジタル方式によるものの場合、ＴＶ受信部１１は、当該受信した放送波をＩＦ（中間周波数）信号に変換し、このＩＦ信号に含まれるコンテンツデータを抽出して信号処理部１２に供給する。
【００１７】
信号処理部１２は、記録制御部１９による制御の下、ＴＶ受信部１１から供給される信号に対して所定の信号処理を施す。例えば、ＴＶ受信部１１からアナログ放送に対応したＴＶ信号が供給された場合、信号処理部１２は、当該ＴＶ信号に対して所定の形式の信号変換またはＡ／Ｄ変換などの予め定められた処理を施して、所定形式のデジタルデータ（すなわち、コンテンツデータ）に変換する。また、この際、信号処理部１２は、当該変換して得られたデジタルデータを、例えば、ＭＰＥＧ（Moving Picture Coding Experts Group）形式に変換すると共に、当該変換後のコンテンツデータに基づいてプログラムストリームを生成し、この生成されたプログラムストリームをＤＶＤドライブ１３、ＨＤＤ１４、或いは、復号処理部１５に供給する。一方、ＴＶ受信部１１からデジタル放送に対応したコンテンツデータが供給された場合、信号処理部１２は、例えば、トランスポートストリームとして供給されるコンテンツデータを、プログラムストリームに変換した後、ＤＶＤドライブ１３、ＨＤＤ１４、或いは、復号処理部１５に供給する。
【００１８】
ＤＶＤドライブ１３は、ＤＶＤを着脱可能な構成を有するとともに、ＡＴＡＰＩ（AT Attachment Packet Interface）などの規格に準拠したＤＶＤ用ドライブインターフェースを有し、装着されたＤＶＤに対するデータの記録及び再生を行う。ＨＤＤ１４は、ＡＴＡＰＩなどの規格に準拠したハードディスク用ドライブインターフェースを有し、ハードディスクに対するデータの記録及び再生を行う。
【００１９】
復号処理部１５は、例えば、信号処理部１２から供給され、ＤＶＤおよびハードディスクから読み出されたプログラムストリーム形式のコンテンツデータを音声データと映像データに分離すると共に、これらの各データをデコードする。そして、復号処理部１５は、このようにしてデコードしたコンテンツデータをＮＴＳＣ形式の信号に変換し、当該変換された映像信号及び音声信号を映像信号出力端子Ｔ１および音声信号出力端子Ｔ２を介してモニタに出力する。
【００２０】
なお、本実施形態において情報記録再生装置ＲＰには、映像信号出力端子Ｔ１及び音声信号出力端子Ｔ２を介して、図示せぬモニタが外部装置として接続されており、復号処理部１５から出力された映像信号及び音声信号は、このモニタによって拡声及び表示されることとなる。なおまた、このモニタにプログラムストリーム形式のデータを処理するデコーダ等が搭載されている場合には、信号処理部１５においてデコード等を行うことなく、コンテンツデータをそのままモニタに出力するようにしても良い。
【００２１】
ユーザ属性情報記録部１６には、上述したＥＰＧカスタマイズ機能を実現するため、例えば、視聴地域情報や有料放送サービス種別情報、或いは、嗜好情報といったユーザ属性情報が記述されたユーザ属性情報ファイルＦが記録される。本実施形態においては、このユーザ属性情報ファイルＦを用いてユーザの属性に合致した抽出ＥＰＧデータＥＤ２がＥＰＧ-ＤＶＤに記録されたＥＰＧデータＥＤの中から抽出されることとなる。なお、ユーザ属性情報記録部１６に記録するユーザ属性情報ファイルＦのファイル数については任意であるが、本実施形態においては１つのユーザ属性情報ファイルＦのみが記録されているものとし、複数のユーザ属性情報ファイルＦをユーザ属性情報記録部１６に記録する構成については後述するものとする。なおまた、ユーザ属性情報記録部１６は、ハードウェア的にはＨＤＤ１４に搭載されているハードディスク内に記録領域を確保することにより実現しても良く、ハードディスクとは別体の不揮発性メモリ（例えば、フラッシュメモリ）を設けて実現するようにしても良い。
【００２２】
システム制御部１７は、主としてＣＰＵ（Central Processing Unit）により構成されると共に、キー入力ポート等の各種入出力ポートを含み、情報記録再生装置ＲＰの全体的な機能を統括的に制御する。かかる制御に際して、システム制御部１７は、ＲＯＭ／ＲＡＭ部２２に記録されている制御情報やＢＭＬブラウザ、更には、上記ＥＰＧカスタマイズ機能を実現するためのアプリケーション（以下、「カスタマイズアプリケーション」という）を利用すると共に、当該ＲＯＭ／ＲＡＭ部２２をワークエリアとして利用する。
【００２３】
例えば、このシステム制御部１７は、ユーザが操作部１８に行った入力操作に応じて、記録制御部１９及び再生制御部２０を制御し、ＤＶＤ或いはハードディスクに記録されたデータの記録及び再生を行わせる。
【００２４】
また、例えば、このシステム制御部１７は、操作部１８に対してユーザが行った入力操作に応じてユーザ属性情報ファイルＦを生成し、当該生成したユーザ属性情報ファイルＦをユーザ属性情報記録部１６に記録させるようになっている。このようにしてユーザ属性情報ファイルＦがユーザ属性情報記録部１６に記録された状態においてＥＰＧ-ＤＶＤがＤＶＤドライブ１３に装着された場合、システム制御部１７はＥＰＧ-ＤＶＤに記録されているＥＰＧデータＥＤの中から抽出ＥＰＧデータＥＤ２を抽出し、当該抽出ＥＰＧデータＥＤ２をＨＤＤ１４のハードディスクに転送して、ハードディスクに記録させる。そして、システム制御部１７は、このハードディスクに記録された抽出ＥＰＧデータＥＤ２に基づいて表示処理を実行することにより、ユーザ属性情報に合致する番組表のみをモニタ上に表示させるようになっている。
【００２５】
更に、このシステム制御部１７は、ハードディスクに記録されている抽出ＥＰＧデータＥＤ２に基づく番組表の表示中においてユーザが行った入力操作に従い放送番組の録画予約を行うための処理を実行すると共に、当該予約された日時に記録制御部１９を制御して、予約された放送ｃｈにおいて放送されている番組に対応したコンテンツデータをＤＶＤ或いはハードディスクに記録させる。
【００２６】
操作部１８は、選択ボタンおよび数字キー等の各種キーを有するリモートコントロール装置及び当該リモートコントロール装置から送信された信号を受光する受光部、または、各種キーを有する操作パネルにより構成され、ユーザの入力操作に対応した制御信号をバス２３を介してシステム制御部１７に出力する。
【００２７】
記録制御部１９は、システム制御部１７による制御の下、ＤＶＤ或いはハードディスクに対するコンテンツデータの記録を制御し、再生制御部２０は、システム制御部１７による制御の下、ＤＶＤ或いはハードディスクに記録されたコンテンツデータの再生を制御する。
【００２８】
ＯＳＤ部２１は、再生制御部２０の制御の下、文字情報等の外部装置に出力される映像信号に対して重畳するための表示データを生成し、当該生成された文字情報などの表示データを復号処理部１５に出力する。
【００２９】
（２）ＥＰＧ-ＤＶＤに記録されるデータのデータ構成例
次に、図２を参照しつつ、本実施形態にかかるＥＰＧ-ＤＶＤに記録されるデータのデータ構成例について説明する。なお、図２は、ＥＰＧ-ＤＶＤに記録されるデータのデータ構成の一例を示す図である。
【００３０】
同図に示すように、本実施形態においてＥＰＧ-ＤＶＤには、ＥＰＧデータＥＤと、複数のサンプル画像ファイルＳＦ-ｉ（ｉ＝１，２，・・・，ｎ）が記録されている。これらのデータ中、ＥＰＧデータＥＤは、（ａ）番組表の内容や（ｂ）番組録画のために必要な情報、（ｃ）各番組のジャンル名、（ｄ）主演俳優、等の情報をＢＭＬ形式にて記述したデータであり、情報記録再生装置ＲＰにおいて番組表を表示するために用いられる。
【００３１】
また、このＥＰＧデータＥＤは、複数のＥＰＧデータユニットＵＤ-ｊ（ｊ＝１，２，・・・，ｍ）に分割されており、各ＥＰＧデータユニットＵＤ-ｊは、各々、異なる番組表に対応した内容を有するものとなっている。また、このＥＰＧデータユニットＵＤ-ｊは、ＥＰＧカスタマイズ機能によりユーザ属性情報に合致するＥＰＧデータユニットＵＤ-ｊを抽出する際の単位データとなっており、抽出ＥＰＧデータＥＤ２は、抽出されたＥＰＧデータユニットＵＤ-ｊを組み合わせることにより構成される。
【００３２】
なお、ＥＰＧデータＥＤをＥＰＧデータユニットＵＤ-ｊに分割する方法は任意であり、例えば、ＥＰＧデータＥＤをタグにより分割するようにしても良く、各ＥＰＧデータユニットＵＤ-ｊ毎に別個のデータファイルとして構成するようにしても良い。また、各ＥＰＧデータユニットＵＤ-ｊに対して振り分ける番組表についても任意であり、例えば、地上波アナログ放送のように視聴地域によって放送番組の番組表が異なる場合、各日付における各視聴地域に対応する番組表毎にＥＰＧデータユニットＵＤ-ｊを設けるようにしても良い。また、ＣＳ（Communication Satellite）放送のような有料放送サービスにおいて、サービス内容の違いにより受信可能なｃｈが限定される場合、各日付における各サービス種別に対応した番組表毎にＥＰＧデータユニットＵＤ-ｊを設けるようにしても良い。但し、本実施形態においては説明の具体化のため、各日付における各放送局毎にＥＰＧデータユニットＵＤ-ｊを設けているものとして説明を行う。この結果、例えば、１００ｃｈ、３０日分の番組表を想定した場合、３０００個のＥＰＧデータユニットＵＤ-ｊが存在することとなる。
【００３３】
これに対して、サンプル画像ファイルＳＦ-ｉは、例えば、番組予告や番組の要約、或いは、番組出演者のインタビュー等の映像及び音声に対応したデータファイルであり、各データファイルＳＦ-ｉは、ＥＰＧデータＥＤ上に記述されたタグにより指定されている。このように、ＥＰＧデータＥＤとサンプル画像ファイルＳＦ-ｉとの間にリンクが張られている結果、ＥＰＧデータＥＤに基づいて表示された番組表に従ってユーザが操作部１８に所定の入力操作を行うことにより、当該操作に対応するサンプル画像ファイルＳＦ-ｉが読み出され、番組予告等の各種映像及び音声が再生されることとなる。
【００３４】
［１．２］第１実施形態の動作
次に、図３〜図６を参照しつつ本実施形態にかかる情報記録再生装置ＲＰの動作について説明することとする。
【００３５】
（１）ユーザ属性情報登録時の動作
まず、情報記録再生装置ＲＰに対してユーザ属性情報を登録する際の動作について図３を参照しつつ説明する。ユーザ属性情報を登録しようとする場合、ユーザは、まず、操作部１８に対して所定の入力操作を行うことが必要となる。このようにして、ユーザによって所定の入力操作が行われると、システム制御部１７は、当該入力操作に基づいて上述したカスタマイズアプリケーションを実行し、メニュー画面に対応した画像データを生成して復号処理部１５に供給する。この結果、当該画像データが、例えば、ＮＴＳＣ形式のデータに変換されてモニタに供給され、モニタには、例えば、図３に示すようなメニュー画面が表示されることとなる。
【００３６】
かかるメニュー画面が表示されている状態においてユーザが、例えば、
（ａ）ユーザ自身の視聴地域（すなわち、視聴地域情報）、
（ｂ）ユーザの加入している有料放送サービス（すなわち、有料放送サービス種別情報）、
（ｃ）ユーザの好きな番組のジャンル（例えば、お笑い番組等）、俳優等のユーザの嗜好を示す情報（すなわち、嗜好情報）、
を入力し、操作部１８に決定を行う旨の入力操作を行う。すると、システム制御部１７は、この入力されたユーザ属性情報に基づいてユーザ属性情報ファイルＦを生成し、当該生成したユーザ属性情報ファイルＦをユーザ属性情報記録部１６に記録させる。
【００３７】
このようにして、ユーザ属性情報記録部１６にユーザ属性情報ファイルＦが格納された状態になると、情報記録再生装置ＲＰは、ＥＰＧカスタマイズ機能を利用可能な状態に移行する。
【００３８】
（２）抽出ＥＰＧデータＥＤ２を抽出する際の動作
次に、ＥＰＧ-ＤＶＤに記録されたＥＰＧデータＥＤの中から抽出ＥＰＧデータＥＤ２を抽出し、当該抽出ＥＰＧデータＥＤ２をハードディスクに記録するまでの処理について説明する。
【００３９】
まず、抽出ＥＰＧデータＥＤ２の抽出を行おうとする場合、ユーザはＤＶＤドライブ１３に対してＥＰＧ-ＤＶＤを装着させることが必要となる。そして、ユーザがＥＰＧ-ＤＶＤをＤＶＤドライブ１３に装着させると、システム制御部１７は、カスタマイズアプリケーションに基づいて図４に示す処理を実行する。なお、図４は、ＥＰＧカスタマイズ機能を実現する際に、システム制御部１７が実行する処理を示すフローチャートである。
【００４０】
同図に示すように、この処理においてシステム制御部１７は、ＤＶＤドライブ１３に装着されたＤＶＤがＥＰＧ-ＤＶＤであるか否かを判定する状態となり（ステップＳａ１）、装着されたＤＶＤがＥＰＧ-ＤＶＤではない場合には、この判定において「ｎｏ」と判定し、図４に示す処理を終了させ、通常の再生処理或いは記録処理に移行する。
【００４１】
これに対して、ステップＳａ１において「ｙｅｓ」と判定した場合、システム制御部１７は、ユーザ属性情報記録部１６に記録されているユーザ属性情報ファイルＦを読み出し（ステップＳａ２）、当該ユーザ属性情報ファイルＦに記述されているユーザ属性情報に合致するＥＰＧデータユニットＵＤ-ｊと必要なサンプル画像ファイルＳＦ-ｉを抽出する（ステップＳａ３）。なお、この際の具体的な抽出方法については任意であり、例えば、次のような方法を採用することが可能である。
【００４２】
＜方法１＞
ユーザ属性情報ファイルＦに記述されている視聴地域情報や有料放送サービス種別情報に対応する放送局を特定するためのテーブルを設け、このテーブルに基づいて放送局を特定して、当該放送局に対応するデータユニットＵＤ-ｊと、サンプル画像ファイルＳＦ-ｉを抽出する。
【００４３】
＜方法２＞
各ＥＰＧデータユニットＵＤ-ｊに視聴地域及びサービス種別等の検索用の情報を記述するようにして、ユーザ属性情報ファイルＦに記述されている視聴地域情報や有料放送サービス種別情報に基づいてＥＰＧ-ＤＶＤに記録されているＥＰＧデータＥＤを検索し、（ａ）当該視聴地域に対応する番組表に対応するＥＰＧデータユニットＵＤ-ｊと、（ｂ）有料放送サービス種別に対応する放送番組表に対応するＥＰＧデータユニットＵＤ-ｊを抽出すると共に、（ｃ）各ＥＰＧデータユニットＵＤ-ｊに対応するサンプル画像ファイルＳＦ-ｉを抽出する。
【００４４】
かかるステップＳａ３においてＥＰＧデータユニットＵＤ-ｊ及びサンプル画像ファイルＳＦ-ｉの抽出が完了すると、システム制御部１７は、この抽出したＥＰＧデータユニットＵＤ-ｊ等のデータをＨＤＤ１４に転送し、ハードディスクに記録させ（ステップＳａ４）、処理を終了させる。この結果、情報記録再生装置ＲＰは、抽出ＥＰＧデータＥＤ２に基づく番組表の表示及び録画予約等が可能な状態に移行する。
【００４５】
（３）抽出ＥＰＧデータＥＤ２を用いて録画予約を行う際の処理
次に、ハードディスクに記録されている抽出ＥＰＧデータＥＤ２を用いて番組表を表示し、録画予約を行う際の処理について、図５及び図６を参照しつつ説明する。まず、ハードディスクに記録された抽出ＥＰＧデータＥＤ２に基づいて番組表を表示しようとする場合、ユーザは操作部１８に対して所定の入力操作を行うことが必要となる。かかる入力操作が行われると、システム制御部１７は、この入力操作をトリガとして図５に示す処理を実行する。
【００４６】
この処理において、システム制御部１７は、まず、例えば、「登録された嗜好情報に合致する番組表にカスタマイズした後に表示を行いますか。」等の文字列と共に、「はい」、「いいえ」なる２つのボタン（アイコン）を表示するための画像データを生成して、復号処理部１５に出力する（ステップＳｂ１）。そして、ユーザが「はい」、「いいえ」の何れかのボタンを選択する旨の入力操作を操作部１８に対して行うと、システム制御部１７は、当該選択されたボタンが「はい」ボタンであったか否かを判定する（ステップＳｂ２）。この判定において「ｙｅｓ」と判定した場合、システム制御部１７は、ハードディスクに記録されている抽出ＥＰＧデータＥＤ２の中から嗜好情報に対応するデータを抽出し、当該抽出したデータを並び替えて（ステップＳｂ３）、番組表の表示を行う（ステップＳｂ４）。この際、システム制御部１７は、カスタマイズアプリケーション上においてＢＭＬブラウザを実行し、ＢＭＬブラウザを利用して表示処理を行う。なお、この際におけるデータの抽出方法については任意であり、例えば、ＥＰＧデータユニットＵＤ-ｊに記述されたジャンル名や主演俳優等の情報に基づいてデータの抽出を行うようにしても良い。
【００４７】
これに対して、ユーザが操作部１８に対して「いいえ」ボタンを選択していた場合、システム制御部１７はステップＳｂ２において「ｎｏ」と判定し、嗜好情報に基づく番組表のカスタマイズを行うことなく、ハードディスクに記録された抽出ＥＰＧデータＥＤ２に基づいて表示処理を行う（ステップＳｂ４）。
【００４８】
このようにして実行される表示処理（ステップＳｂ４）によりモニタ上に表示される画像の一例を図６に示す。同図に示すように、この際、モニタ上には、例えば、番組表に対応した年月日や当該年月日における番組表、表示対象番組表の年月日を変更するためのボタン、番組表をスクロール表示させるためのスクロールバー等の情報が表示される。なお、この際、各番組のジャンルに合わせて番組表中の項目部分を色分けしたり或いは各項目部分に当該番組のジャンルを示すマークを表示するようにしても良く、表示形態に合わせてＥＰＧデータユニットＵＤ-ｊに記述する情報の内容を変更するようにしても良い。
【００４９】
このようにして番組表の表示がなされると、システム制御部１７は、ユーザが番組表中の番組名を選択したか否かを判定する状態となり（ステップＳｂ５）、ユーザが操作部１８に自身の所望する番組名を選択する旨の入力操作を行うと、例えば、「サンプル画像を再生」なるボタンと、「録画予約を行う」なるボタン（アイコン）を表示するための画像データを生成して復号処理部１５に供給する（ステップＳｂ６）。この時点でシステム制御部１７は、ユーザによる入力操作を待機する状態となり（ステップＳｂ７「ｎｏ」）、ユーザが何れかのボタンを選択する旨の入力操作を行った時点でステップＳｂ７における判定が「ｙｅｓ」に変化する。
【００５０】
次いで、システム制御部１７は、ユーザによって選択されたボタンが「サンプル画像を再生」なるボタンであるか否かを判定する状態となり（ステップＳｂ８）、この判定において「ｎｏ」と判定すると、ハードディスクに記録されているＥＰＧデータユニットＵＤ-ｊに基づいて録画予約のための処理を行って（ステップＳｂ１５）、処理を終了する。この際、システム制御部１７は、当該指定された番組の放送ｃｈ及び放送日時をＥＰＧデータユニットＵＤ-ｊから抽出して、当該日時及び放送チャネルをＲＯＭ／ＲＡＭ部２２に記録することにより放送番組の録画予約を行う。また、この際、システム制御部１７は、録画先をＤＶＤとするかハードディスクとするかをユーザに選択させるための画像に対応したデータを映像信号出力端子Ｔ１に接続されたモニタに表示させ、当該画像に従って、ユーザが行った入力操作に基づいて録画先を決定する。なお、この時点で、ＥＰＧ-ＤＶＤがＤＶＤドライブ１３に装着されている場合、記録用のＤＶＤへの差替をユーザに喚起するような画像を表示するようにしても良い。
【００５１】
これに対して、ユーザが「サンプル画像を再生」なるボタンを選択していた場合、システム制御部１７は、ＨＤＤ１４に制御信号を出力し、当該選択された放送番組に対応するサンプル画像ファイルＳＦ-ｉを読み出させた後（ステップＳｂ９）、このサンプル画像ファイルＳＦ-ｉに基づいて表示処理を行う（ステップＳｂ１０）。この結果、番組予告等に対応した映像信号及び音声信号が復号処理部１５からモニタに供給され、表示等が行われることとなる。
【００５２】
その後、サンプル画像ファイルＳＦ-ｉに基づくサンプル画像の表示が完了すると、システム制御部１７は、例えば、「この番組の録画予約を行いますか」等の文字列と共に、「ｙｅｓ」、「ｎｏ」なるボタン（アイコン）を表示するための画像データを生成して復号処理部１５に供給した後（ステップＳｂ１１）、ユーザによる選択入力を待機する状態となる（ステップＳｂ１２「ｎｏ」）。この状態において、ユーザが操作部１８に対して入力操作を行うと、システム制御部１７は、ステップＳｂ１２において「ｙｅｓ」と判定し、当該入力操作が「ｙｅｓ」ボタンを選択する旨の操作であったか否かを判定する状態となる（ステップＳｂ１３）。
【００５３】
そして、この判定において「ｎｏ」と判定した場合、システム制御部１７は、再度、抽出ＥＰＧデータＥＤ２に基づいて番組表の再表示処理を実行し（ステップＳｂ１４）、処理をステップＳｂ５にリターンさせる。これに対してステップＳｂ１３において「ｙｅｓ」と判定した場合、システム制御部１７は、ハードディスクに記録されているＥＰＧデータユニットＵＤ-ｊに基づいて録画予約のための処理を行って（ステップＳｂ１５）、処理を終了する。
【００５４】
かかる一連の処理を通じて録画予約が行われると、システム制御部１７は、ＲＯＭ／ＲＡＭ部２２に記録されている日時に、記録されているｃｈにおいて放送される番組の録画を行うための処理を実行する。具体的には、当該日時になると、システム制御部１７は、記録制御部１９に対して録画ｃｈを示す制御信号を出力する。記録制御部１９は、このようにして供給される制御信号に基づいてＴＶ受信部１１の受信帯域を予約されているｃｈに同調するように変更すると共に、ＤＶＤドライブ１３或いはＨＤＤ１４におけるデータ記録を開始させる。この結果、ＴＶ受信部１１によって受信された放送番組に対応するコンテンツデータがＴＶ受信部１１から直接、或いは、信号処理部１２を介してＤＶＤドライブ１３或いはＨＤＤ１４に供給され、順次、ＤＶＤ或いはハードディスクに記録されていくこととなる。
【００５５】
以上の処理が行われる結果、本実施形態にかかる情報記録再生装置ＲＰにおいては、ＥＰＧ-ＤＶＤから抽出された抽出ＥＰＧデータＥＤ２に基づく録画予約が行われ、当該日時において番組に対応したコンテンツデータの記録が行われることとなる。
【００５６】
このようにして、本実施形態にかかる情報記録再生装置ＲＰは、複数の放送ｃｈにおける番組表を表示するためのＥＰＧデータＥＤの記録されたＥＰＧ-ＤＶＤから、ＥＰＧデータＥＤを読み出して表示装置に表示させる情報記録再生装置ＲＰであって、ＥＰＧ-ＤＶＤからＥＰＧデータＥＤを読み出すＤＶＤドライブ１３と、ユーザの属性を示すユーザ属性情報を要素とするユーザ属性情報ファイルＦが記録されるユーザ属性情報記録部１６と、ＥＰＧ-ＤＶＤに記録されたＥＰＧデータＥＤの中からユーザ属性情報に合致する番組表に対応したＥＰＧデータユニットＵＤ-ｊを抽出ＥＰＧデータＥＤ２として抽出し、当該抽出された抽出ＥＰＧデータＥＤ２に基づいて表示装置（例えばモニタ）に番組表を表示させるシステム制御部１７とを備える構成を採用している。この構成により、ＥＰＧ-ＤＶＤに記録されたＥＰＧデータＥＤの中からユーザの属性に合致する番組表に対応したＥＰＧデータユニットＵＤ-ｊのみが抽出され、当該ＥＰＧデータユニットＵＤ-ｊを組み合わせた抽出ＥＰＧデータＥＤ２に基づいて番組表が表示されることとなる。
【００５７】
このため、本実施形態にかかる情報記録再生装置ＲＰによれば、放送設備を設けることなくＥＰＧ-ＤＶＤに大容量のＥＰＧデータＥＤを記録してユーザに提供することが可能となると共に、ＥＰＧ-ＤＶＤ内に記録された大容量のＥＰＧデータＥＤの中からユーザの所望する番組表に対応するＥＰＧデータユニットＵＤ-ｊのみを抽出して表示することが可能となり、もって、ユーザの利便性を向上させることが可能となる。
【００５８】
また、本実施形態にかかる情報記録再生装置ＲＰは、システム制御部１７によって抽出された抽出ＥＰＧデータＥＤ２をＨＤＤ１４に搭載されたハードディスクに記録する構成を採用しているため、番組表の再表示等の処理を高速化し、ユーザの利便性を更に向上させることが可能となる。
【００５９】
なお、本実施形態においては、ＥＰＧデータＥＤをＤＶＤに記録した場合について説明したが、ＥＰＧデータＥＤを記録するストレージメディアは、これに限らず、例えば、ブルーレイディスクやＣＤ（Compact Disk）等、大容量のデータを記録することができる可搬型メディアであれば何を用いても構わない。この場合、情報記録再生装置ＲＰに、これらのメディアに対するデータの記録及び再生を行うためのドライブを搭載するようにすれば良い。
【００６０】
また、本実施形態においては、ＤＶＤドライブ１３及びＨＤＤ１４の双方を搭載した情報記録再生装置ＲＰを例に説明したが、ＨＤＤ１４を搭載しない情報記録再生装置ＲＰについても、上記実施形態と同様の処理を実行することが可能である。但し、この場合、ハードディスクに抽出ＥＰＧデータＥＤ２を記録することができないため、抽出された抽出ＥＰＧデータＥＤ２に基づいて、そのまま、表示処理を実行することが必要となる。また、この場合、ＥＰＧ-ＤＶＤが装着されたままの状態では、コンテンツデータを記録用のＤＶＤに記録することができなくなってしまうため、録画予約を行った後にＥＰＧ-ＤＶＤを記録用のＤＶＤに入れ替えることが必須となる。
【００６１】
また更に、本実施形態においては、ＥＰＧデータＥＤをＢＭＬ形式のデータとして構成した場合について説明したが、ＥＰＧデータＥＤは、これに限らず、他の形式のデータとして構成するようにしても良い。
【００６２】
更に、上記実施形態においては、放送番組に対応したコンテンツデータの記録時にデータ記録用のＤＶＤに入れ替える構成を採用していた。しかし、ＥＰＧ-ＤＶＤをハイブリッドＤＶＤ、すなわち、ＲＯＭ領域とＲＡＭ領域の双方を備えるＤＶＤとして作成し、このＲＯＭ領域にＥＰＧデータＥＤを記録する構成を採用すれば、ＥＰＧ-ＤＶＤのＲＡＭ領域にコンテンツデータを記録するようにすることも可能である。
【００６３】
更にまた、このようにＥＰＧ-ＤＶＤとしてハイブリッドＤＶＤを用いた場合、ＥＰＧ-ＤＶＤ内に抽出ＥＰＧデータＥＤ２を記録するようにし、当該抽出ＥＰＧデータＥＤ２を用いて番組表を表示することも可能である。
【００６４】
また、上記実施形態においては、上記図５ステップＳｂ１においてユーザに嗜好情報に基づくカスタマイズを行うか否かを選択させるための画像を表示し、当該画像に従ってユーザが行った入力操作に応じて嗜好情報に基づくカスタマイズを行うか否かを決定する構成が採用されていた。しかし、かかる処理を実行することなく、ユーザ属性情報に基づいて、表示する番組表を強制的にカスタマイズする構成としても良い。
【００６５】
［１．３］第１実施形態の変形例
（１）変形例１-１
上記第１実施形態にかかる情報記録再生装置ＲＰにおいては、ＥＰＧ-ＤＶＤから読み出されたＥＰＧデータＥＤに基づいて録画予約を行い、当該日時に放送番組の録画を行う構成となっていた。ここで、録画対象となる放送番組には、一回のみ放送される特別放送番組だけではなく、例えば、毎週決まった曜日の決まった時刻に放送されるシリーズもののドラマのような定期放送番組が存在する。かかる現状の下、ユーザの中には同一シリーズの定期放送番組を毎週欠かさず録画するようなユーザもおり、このようなユーザの利便性を確保する観点からは、例えば、ＨＤＤ１４のハードディスクに記録に記録されているコンテンツデータをシリーズ毎にＤＶＤに書き換え可能とすることが望まれる。そこで、本変形例においては、一つのシリーズに対応する定期放送番組のコンテンツデータが所定タイトル数分だけハードディスクに記録された時点で当該コンテンツデータをまとめてＤＶＤに書き換える機能を持たせることとした。なお、ここにいうタイトルとは所定の放送番組枠において放送される一回分の放送番組を意味している。
【００６６】
かかる機能を実現するための具体的な方法については任意であるが、例えば、次のような方法を採用することにより、実現することが可能である。まず、各定期放送番組をシリーズ毎に特定するための識別情報を予め規定し、この識別情報をＥＰＧデータＥＤ内に記述するようにする。そして、ハードディスクに対するコンテンツデータの記録時に当該コンテンツデータと、この識別情報を対応付けて記録し、同一の識別情報と対応付けて記録されているコンテンツデータが所定のタイトル数に達した時点で、自動的に当該ハードディスクに記録されているコンテンツデータをＤＶＤに書き換える構成を採用することとした。
【００６７】
なお、実際にハードディスクに記録されているデータをＤＶＤに書き換える際の処理については任意であり、例えば、ユーザによる電源投入時に、システム制御部１７がハードディスク内に記録されている識別情報を検索し、同一シリーズの放送番組に対応したコンテンツデータが所定タイトル数分以上が記録されている場合に、例えば、「ハードディスクに記録されている同一シリーズの番組が所定タイトルを越えました。ＤＶＤに焼きますか。」等の文字列をモニタに表示させるようにし、この表示に従って、ユーザが行った入力操作に応じてデータの書き換えを行うようにしても良い。
【００６８】
また、ＤＶＤに対してコンテンツデータを書き換える際の方法についても任意であり、例えば、ＥＰＧデータＥＤ内に番組名や番組を示すロゴ、更には、メニュー画面を記述するようにし、この番組名等の情報をハードディスクに記録されているＥＰＧデータユニットＵＤ-ｊから抽出して、コンテンツデータと対応付けてＤＶＤに記録するようにしても良い。
【００６９】
このようにして、本変形例によれば、同一のシリーズに属する複数タイトルのコンテンツデータを１つのＤＶＤにまとめて書き換えることが可能となるため、ユーザの利便性を更に向上させることが可能となる。
【００７０】
（２）変形例１-２
上記第１実施形態においては、ユーザ属性情報ファイルＦを１ファイル分だけ、ユーザ属性情報記録部１６に記録した構成例について説明した。しかし、例えば、複数人の家族において情報記録再生装置ＲＰを用いる場合のように、ユーザが複数存在するような場合も想定される。このような場合、各ユーザ毎にユーザ属性情報ファイルＦを生成し、ユーザ属性情報記録部１６に記録しておくことにより、各ユーザ毎に番組表をカスタマイズして表示するようにすることも可能である。この場合、ＥＰＧ-ＤＶＤをＤＶＤドライブ１３に装着した際に、利用ユーザを指定させるようにし、当該ユーザに対応するユーザ属性情報ファイルＦを用いて番組表をカスタマイズして表示するようにすれば良い。
【００７１】
このように本変形例によれば、情報記録再生装置ＲＰを利用するユーザが複数存在する場合であっても、各ユーザ毎に最適な番組表を提示することが可能となる。
【００７２】
（３）変形例１-３
上記第１実施形態において視聴地域情報は、ユーザがメニュー画面（図３）上において入力する構成を採用していた。しかし、視聴地域情報については、自動的に取得するようにすることも可能である。この場合、例えば、受信可能ｃｈを自動的に検出すると共に、当該検出されたｃｈの組合せに対応する視聴地域を特定するためのテーブルを事前に用意し、当該検出されたｃｈに対応する視聴地域を特定するようにすれば良い。
【００７３】
また、視聴地域情報は、視聴地域を選択する方法ではなく、例えば、郵便番号や電話番号を入力させて、視聴地域を特定する方法を採用しても良い。また更に、初期設定として郵便番号や電話番号を入力させ、これにより受信ｃｈを特定する機能を有する、装置の場合、この初期設定として入力された情報を視聴地域情報として流用するようにしても良い。
【００７４】
更に、嗜好情報についても、ユーザに入力させることなく、過去における録画履歴に基づいてユーザの好きな番組ジャンルや主演俳優等を特定するようにすることも可能である。この場合、コンテンツデータの記録時に記録対象となるコンテンツデータに対応する放送番組のジャンル等の情報をＥＰＧデータユニットＵＤ-ｊから抽出して、当該コンテンツデータと対応付けて記録するようにし、当該ジャンル等の情報に基づいて録画履歴を管理するようにすれば良い。
【００７５】
このようにして、本変形例によれば、ユーザに視聴地域情報や嗜好情報を入力させることなく、ユーザの視聴地域や嗜好を特定することが可能となるので、ユーザの利便性を更に向上させることが可能となる。
【００７６】
［２．１］第２実施形態
図７に本実施形態にかかる情報記録再生装置ＲＰ２の構成を示す。なお、同図において上述した図１と同様の要素については同様の符号を付してある。
【００７７】
ここで、上記第１実施形態にかかる情報記録再生装置ＲＰには、ＨＤＤ１４のハードディスクに記録された抽出ＥＰＧデータＥＤ２を更新する機能は設けられていなかった。しかし、実際に一ヶ月分等の番組表に対応したＥＰＧデータＥＤをＥＰＧ-ＤＶＤに記録する構成を採用する場合、ＥＰＧ-ＤＶＤの発行当初には一ヶ月後の番組表が確定しておらず、時間帯によっては未定の状態にある場合もある。このような場合、ＥＰＧデータＥＤには当該予定に関する情報が記述されないこととなるため、ハードディスクに抽出ＥＰＧデータＥＤ２を記録した後に当該抽出ＥＰＧデータＥＤ２を更新することができれば、ユーザの利便性を更に向上させることが可能となる。そこで、本実施形態においては、上記ＥＰＧカスタマイズ機能と共に、ハードディスクに既に記録されている抽出ＥＰＧデータＥＤ２を更新する方法を採用することとした。
【００７８】
かかる機能を実現するため、本実施形態にかかる情報記録再生装置ＲＰ２には、図示せぬネットワークを介したデータの授受を行うための通信部２４が設けられており、システム制御部１７は、この通信部２４を用いてネットワーク上のサーバ（図示は省略）から必要なＥＰＧデータユニットＵＤ-ｊをダウンロードするようになっている。そして、システム制御部１７は、このダウンロードしたＥＰＧデータユニットＵＤ-ｊを用いてハードディスクに記録されている抽出ＥＰＧデータＥＤ２を更新するのである。
【００７９】
なお、ＥＰＧデータユニットＵＤ-ｊのダウンロードタイミングは任意であり、例えば、更新すべき番組表の日時等をユーザに入力させ、当該入力がなされた場合にＥＰＧデータユニットＵＤ-ｊのダウンロードを実行するようにしても良い。また、情報記録再生装置ＲＰ２の電源投入時に自動的にネットワーク上のサーバにアクセスして、更新が必要なＥＰＧデータユニットＵＤ-ｊを検索し、必要に応じてダウンロードを行うようにしても良い。
【００８０】
このようにして、本実施形態によれば、ハードディスクに記録された抽出ＥＰＧデータＥＤ２を更新することが可能となり、もって、ユーザの利便性の向上を図ることが可能となる。
【００８１】
［２．２］第２実施形態の変形例
上記実施形態においては、更新用のＥＰＧデータユニットＵＤ-ｊをネットワーク上のサーバからダウンロードする構成を採用していた。しかし、新たなＥＰＧデータの記録されたＥＰＧ-ＤＶＤを用いて、抽出ＥＰＧデータＥＤ２を更新するようにするようにしても良い。
【００８２】
上述のようにＥＰＧ-ＤＶＤは、例えば、月刊雑誌の付録媒体として配布されるようになっており、一月毎に新たなＥＰＧデータの記録されたＥＰＧ-ＤＶＤが配布されることとなる。このため、新たなＥＰＧ-ＤＶＤを用いて抽出ＥＰＧデータＥＤ２を更新することができれば、常に最新のＥＰＧデータに基づいて番組表を表示することが可能となる。
【００８３】
この方法を採用する場合に、如何にしてデータの更新を行うかについては任意であり、例えば、新たなＥＰＧ-ＤＶＤに記録されているデータをそのまま上書きするようにしても良いし、抽出ＥＰＧデータＥＤ２において番組が未定となっている部分についてのみデータの更新を行うようにしても良い。
【００８４】
また、他の方法としては放送波により、更新用のＥＰＧデータユニットＵＤ-ｊを放送するようにし、この放送波により放送されているＥＰＧデータユニットＵＤ-ｊを用いて抽出ＥＰＧデータを更新するようにしても良い。
【００８５】
なお、例えば、ＥＰＧ-ＤＶＤとしてハイブリッドＤＶＤを用い、当該ＥＰＧ-ＤＶＤ内に抽出ＥＰＧデータＥＤ２を記録する態様においては、当該ＥＰＧ-ＤＶＤ内に記録されている抽出ＥＰＧデータＥＤ２を更新用のＥＰＧ-ＤＶＤにより更新するようにすることも可能である。
【図面の簡単な説明】
【００８６】
【図１】第１実施形態における情報記録再生装置ＲＰの構成を示すブロック図である。
【図２】同実施形態におけるＥＰＧ-ＤＶＤに記録されたデータのデータ構成の一例と、抽出ＥＰＧデータＥＤ２の関係を示す図である。
【図３】同実施形態においてユーザ属性情報登録時に表示される画像の一例を示す図である。
【図４】同実施形態においてＥＰＧ-ＤＶＤからユーザ属性情報に合致するＥＰＧデータを抽出する際に、システム制御部１７が実行する処理を示すフローチャートである。
【図５】同実施形態において番組表表示時にシステム制御部１７が実行する処理を示すフローチャートである。
【図６】同実施形態において表示される番組表の一例を示す図である。
【図７】第２実施形態における情報記録再生装置ＲＰ２の構成を示すブロック図である。
【符号の説明】
【００８７】
ＲＰ、ＲＰ２・・・情報記録再生装置
ＥＤ・・・ＥＰＧデータ
ＥＤ２・・・抽出ＥＰＧデータ
ＵＤ-ｊ・・・ＥＰＧデータユニット
ＳＦ-ｉ・・・サンプル画像ファイル
【図１】
2006180135.tif 000003
【図２】
2006180135.tif 000004
【図３】
2006180135.tif 000005
【図４】
2006180135.tif 000006
【図５】
2006180135.tif 000007
【図６】
2006180135.tif 000008
【図７】
2006180135.tif 000009